(57)【要約】【課題】補給作業を容易に行えるようにしながら、走行時などにおける機体の安定性を向上させる。【解決手段】走行車体１に備えた後部ステップ１４の上方に貯留部２１を配備した供給装置Ｂ、予備の圃場供給物を貯留する左右の予備貯留部３０、左右の予備貯留部３０を、左右の予備貯留部３０が走行車体１の前後方向に沿う縦長姿勢で運転座席１３の左右の横外側に分散して位置する第１状態と、左右の予備貯留部３０が走行車体１の前後方向に直交する横長姿勢で貯留部２１の上方に位置する第２状態とに切り替え可能に支持する支持機構３１、及び、左右の予備貯留部３０を第１状態にて固定する固定状態と、その固定を解除する固定解除状態とに切り替えるロック機構とを備えた。【選択図】図２
2015112026.tif 000002
【特許請求の範囲】
【請求項１】
運転座席の後方箇所に後部ステップを備えた乗用型の走行車体と、圃場供給物を内部に貯留する内蔵式の貯留部を前記後部ステップの上方に配備した供給装置と、予備の圃場供給物を貯留する左右の予備貯留部とを備え、
前記走行車体は、前記左右の予備貯留部を第１状態と第２状態とに切り替え可能に支持する支持機構と、前記左右の予備貯留部の固定状態と固定解除状態との切り替えを可能にするロック機構とを備え、
前記支持機構は、前記第１状態では、前記左右の予備貯留部が前記走行車体の前後方向に沿う縦長姿勢で前記運転座席の左右の横外側に分散して位置する状態となるように、又、前記第２状態では、前記左右の予備貯留部が前記走行車体の前後方向に直交する横長姿勢で前記貯留部の上方に位置する状態になるように、前記左右の予備貯留部を支持し、
前記ロック機構は、前記固定状態では前記左右の予備貯留部を前記第１状態にて固定し、又、前記固定解除状態では前記左右の予備貯留部の前記第１状態での固定を解除するように構成している乗用作業機。
【請求項２】
前記支持機構は、対応する前記予備貯留部を左右方向に揺動可能に支持する左右の支軸を備えて、前記左右の予備貯留部が対応する前記支軸を支点にした左右方向への揺動変位によって前記第１状態と前記第２状態とに切り替わるように構成している請求項１に記載の乗用作業機。
【請求項３】
前記走行車体は、左右の手摺を前記後部ステップの左右両端側に分散して立設装備し、
前記支持機構は、前記左右の支軸を対応する前記手摺の上部に備えている請求項２に記載の乗用作業機。
【請求項４】
前記貯留部は、上端部に補給口を有するホッパと、前記補給口を上下揺動によって開閉する上下揺動式の蓋体とを備え、
前記支持機構は、前記第２状態の前記左右の予備貯留部と前記貯留部との間に前記蓋体の上下揺動を許容する空間を確保する高さ位置にて前記左右の予備貯留部を支持している請求項１〜３のいずれか一つに記載の乗用作業機。
【請求項５】
前記左右の予備貯留部は、予備の圃場供給物を載置する載置面を前記予備貯留部の全域にわたって備えている請求項１〜４のいずれか一つに記載の乗用作業機。
【請求項６】
前記載置面のそれぞれは、前記第２状態において前記貯留部の上端部に備えた補給口に対向する開口を備えている請求項５に記載の乗用作業機。
【請求項７】
前記載置面のそれぞれを漏斗状に形成している請求項６に記載の乗用作業機。
【請求項８】
前記走行車体は、その後部に昇降揺動可能に連結したリンク機構を介して苗植付装置を装備し、
前記苗植付装置は、その上部に後下がり姿勢で備えた苗載台の前端が、前記第２状態に切り替えた前記左右の予備貯留部の後方に位置するように構成している請求項１〜７のいずれか一つに記載の乗用作業機。
【請求項９】
前記支持機構は、前記第１状態では前記左右の予備貯留部が前記貯留部の上方から外れて前記貯留部の上方を開放するように構成している請求項８に記載の乗用作業機。
【請求項１０】
前記走行車体は、その後部に昇降揺動可能に連結したリンク機構を介して苗植付装置を装備し、
前記苗植付装置は、その上部に後下がり姿勢で備えた苗載台の前端が、前記第２状態に切り替えた前記左右の予備貯留部の後方に位置するように構成し、
前記左右の予備貯留部は、前記苗載台に補給する複数の予備苗を予備の圃場供給物として載置する載置式の上側貯留部位と、前記貯留部に補給する予備の圃場供給物を内部に貯留する内蔵式の下側貯留部位とを備える上下二層式に構成し、
前記下側貯留部位のそれぞれは、前記第２状態において前記貯留部の上端部に備えた補給口に対向する排出口と、前記排出口を開閉する開閉部材とを備えている請求項１〜４のいずれか一つに記載の乗用作業機。
【請求項１１】
前記下側貯留部位は、上端部に補給口を有する予備ホッパと、前記予備ホッパの前記補給口を開閉する予備ホッパ用の蓋体とを備え、
前記上側貯留部位は、前記予備ホッパ用の蓋体の上面に形成している請求項１０に記載の乗用作業機。
【請求項１２】
前記苗載台は、前記苗植付装置を上限位置まで上昇させた場合に、前記苗載台の前端が前記第２状態に切り替えた前記左右の予備貯留部の後端に近接するように前記苗植付装置に装備している請求項８〜１１のいずれか一つに記載の乗用作業機。
【請求項１３】
前記苗載台は、マット状苗を載置する複数の苗載置部を左右方向に一定間隔で整列形成し、
前記左右の予備貯留部は、前記第２状態では予備の圃場供給物としての複数のマット状苗を前記苗載置部での載置姿勢と同じ向きで載置する載置面を備えている請求項８〜１２のいずれか一つに記載の乗用作業機。
【請求項１４】
前記支持機構は、前記左右の予備貯留部を、前記載置面が水平又は略水平になるマット状苗載置用の載置姿勢と、前記第２状態において前記載置面が前記載置姿勢よりも大きい角度で後下がり傾斜するマット状苗補給用の補給姿勢とに、姿勢切り替え可能に支持している請求項１３に記載の乗用作業機。
【請求項１５】
前記左右の予備貯留部は、それらの前記第２状態での後端部に、その後端部の外側への予備のマット状苗の移動を阻止するストッパを装備している請求項１３又は１４に記載の乗用作業機。
【請求項１６】
前記ストッパは、前記後端部の外側への予備のマット状苗の移動を阻止する阻止状態と移動を許容する許容状態とに切り替え可能に構成している請求項１５に記載の乗用作業機。
【請求項１７】
前記左右の予備貯留部は、前記第２状態では予備の圃場供給物を後下がり傾斜又は後上がり傾斜で載置保持するように構成している請求項１〜１６のいずれか一つに記載の乗用作業機。
【請求項１８】
前記ロック機構は、前記固定状態として、前記左右の予備貯留部を前記第１状態にて固定する第１固定状態と前記第２状態にて固定する第２固定状態とを有し、又、前記固定解除状態として、前記左右の予備貯留部の前記第１状態での固定を解除する第１解除状態と前記第２状態での固定を解除する第２解除状態とを有している請求項１〜１７のいずれか一つに記載の乗用作業機。
【請求項１９】
前記走行車体は、左右の手摺を前記後部ステップの左右両端側に分散して立設装備し、
前記手摺のそれぞれは、前記手摺から横外方に延出する載置台を備えている請求項１〜１８のいずれか一つに記載の乗用作業機。
【請求項２０】
前記載置台のそれぞれは、前記手摺から横外方に延出する載置姿勢と、前記手摺に沿う上下向きの格納姿勢とに姿勢切り替え可能に構成している請求項１９に記載の乗用作業機。
【発明の詳細な説明】
【技術分野】
【０００１】
本発明は、運転座席の後方箇所に後部ステップを備えた乗用型の走行車体と、圃場供給物を内部に貯留する内蔵式の貯留部を前記後部ステップの上方に配備した供給装置とを備えた乗用作業機に関する。
【背景技術】
【０００２】
上記のような乗用作業機としては、例えば、乗用型の自走機体（走行車体）の後部に苗植付装置を連結し、自走機体の運転席と苗植付装置との間に、施肥装置（供給装置）の肥料貯留用の肥料ホッパー（貯留部）を配備し、この肥料ホッパーの上方に予備苗のせ台を配備したものがある（例えば特許文献１参照）。
【先行技術文献】
【特許文献】
【０００３】
【特許文献１】特開平１０−２４８３１７号公報
【発明の概要】
【発明が解決しようとする課題】
【０００４】
上記の構成では、走行車体の後部に苗植付装置を連結し、かつ、走行車体の後部に供給装置の貯留部を配備した上で、その貯留部の上方に予備苗のせ台を配備することから、乗用作業機全体としての機体重心が走行車体に対して後寄りになっている。そのため、例えば、畦越え走行などのように機体が後下がり姿勢になる場合などにおいては、機体の安定性が低下し易くなっており、機体の安定性を向上させる上において改善の余地がある。
【０００５】
ここで、機体の安定性を向上させるために、例えば、予備苗のせ台を走行車体の前側に配備することも考えられるが、この場合には、予備苗のせ台が後部の苗植付装置から離れるため、予備苗のせ台に載置した予備苗を苗植付装置に補給する補給作業に要する労力が大きくなる。又、仮に、この予備苗のせ台を、貯留部に対する予備の圃場供給物を載置する載置台として利用した場合においても同様に、予備苗のせ台が後部の貯留部から離れるため、予備苗のせ台に載置した予備の圃場供給物を貯留部に補給する補給作業に要する労力が大きくなる。
【０００６】
本発明の目的は、補給作業を容易に行えるようにしながら、走行時などにおける機体の安定性を向上させることにある。
【課題を解決するための手段】
【０００７】
本発明の課題解決手段は、
運転座席の後方箇所に後部ステップを備えた乗用型の走行車体と、圃場供給物を内部に貯留する内蔵式の貯留部を前記後部ステップの上方に配備した供給装置と、予備の圃場供給物を貯留する左右の予備貯留部とを備え、
前記走行車体は、前記左右の予備貯留部を第１状態と第２状態とに切り替え可能に支持する支持機構と、前記左右の予備貯留部の固定状態と固定解除状態との切り替えを可能にするロック機構とを備え、
前記支持機構は、前記第１状態では、前記左右の予備貯留部が前記走行車体の前後方向に沿う縦長姿勢で前記運転座席の左右の横外側に分散して位置する状態となるように、又、前記第２状態では、前記左右の予備貯留部が前記走行車体の前後方向に直交する横長姿勢で前記貯留部の上方に位置する状態になるように、前記左右の予備貯留部を支持し、
前記ロック機構は、前記固定状態では前記左右の予備貯留部を前記第１状態にて固定し、又、前記固定解除状態では前記左右の予備貯留部の前記第１状態での固定を解除するように構成している。
【０００８】
この手段によると、供給装置の貯留部に対する予備の圃場供給物を貯留した左右の予備貯留部を第２状態から第１状態に切り替えることにより、走行車体に対する機体重心を前寄りに変更することができる。これにより、機体の安定性を向上させることができる。
【０００９】
逆に、供給装置の貯留部に対する予備の圃場供給物を貯留した左右の予備貯留部を第１状態から第２状態に切り替えることにより、左右の予備貯留部とともに予備の圃場供給物を貯留部の上方に位置させることができる。これにより、左右の予備貯留部に貯留した予備の圃場供給物を供給装置の貯留部に補給する補給作業を容易に行うことができる。
【００１０】
又、ロック機構により左右の予備貯留部を第１状態にて固定することができ、これにより、走行中の振動などに起因して、左右の予備貯留部が第１状態から変位して機体の安定性が低下する虞を回避することができる。
【００１１】
従って、供給装置の貯留部に対する補給作業を容易に行えるようにしながら、走行時などにおける機体の安定性を向上させることができる。
【００１２】
本発明をより好適なものにするための手段の一つとして、
前記支持機構は、対応する前記予備貯留部を左右方向に揺動可能に支持する左右の支軸を備えて、前記左右の予備貯留部が対応する前記支軸を支点にした左右方向への揺動変位によって前記第１状態と前記第２状態とに切り替わるように構成している。
【００１３】
この手段によると、左右の予備貯留部を、左右の支軸を支点にした左右方向への揺動変位によって第１状態と第２状態とに容易に切り替えることができる。
【００１４】
本発明をより好適なものにするための手段の一つとして、
前記走行車体は、左右の手摺を前記後部ステップの左右両端側に分散して立設装備し、
前記支持機構は、前記左右の支軸を対応する前記手摺の上部に備えている。
【００１５】
この手段によると、左右の手摺を、左右の予備貯留部を支持する支持フレームに兼用することができる。これにより、予備貯留部専用の支持フレームを設ける場合に比較して支持構造の簡素化を図ることができる。
【００１６】
本発明をより好適なものにするための手段の一つとして、
前記貯留部は、上端部に補給口を有するホッパと、前記補給口を上下揺動によって開閉する上下揺動式の蓋体とを備え、
前記支持機構は、前記第２状態の前記左右の予備貯留部と前記貯留部との間に前記蓋体の上下揺動を許容する空間を確保する高さ位置にて前記左右の予備貯留部を支持している。
【００１７】
この手段によると、貯留部の上部に備える蓋体を、着脱式に比較して開閉操作が容易な上下揺動式としながらも、左右の予備貯留部が貯留部の上方に位置する第２状態であっても蓋体の開閉操作を容易に行うことができる。これにより、左右の予備貯留部に貯留した予備の圃場供給物を供給装置の貯留部に補給する補給作業を容易に行うことができる。
【００１８】
本発明をより好適なものにするための手段の一つとして、
前記左右の予備貯留部は、予備の圃場供給物を載置する載置面を前記予備貯留部の全域にわたって備えている。
【００１９】
この手段によると、左右の予備貯留部を第２状態に切り替えると、それらの載置面が供給装置の貯留部の上方に位置して平面視で貯留部を覆う状態になる。つまり、降雨時には、第２状態に切り替えた各予備貯留部の載置面が、供給装置の貯留部に対する補給作業時の貯留部に対する雨除けとして機能することになる。これにより、供給装置の貯留部に対する補給作業時に雨水が貯留部に降り込むことを防止することができる。
【００２０】
本発明をより好適なものにするための手段の一つとして、
前記載置面のそれぞれは、前記第２状態において前記貯留部の上端部に備えた補給口に対向する開口を備えている。
【００２１】
この手段によると、例えば、各予備貯留部の載置面に予備の圃場供給物として袋入りの肥料又は薬剤あるいは種子などを載置した場合には、左右の予備貯留部を第２状態に切り替えて、それらの開口を貯留部の補給口に対向させた後、各開口を利用して、予備の圃場供給物が入った袋を下方から切り裂くことにより、その切り口から漏れ出す予備の圃場供給物を、各開口から貯留部の内部に容易かつ速やかに補給することができる。これにより、供給装置の貯留部に対する補給作業を容易にすることができる。
【００２２】
本発明をより好適なものにするための手段の一つとして、
前記載置面のそれぞれを漏斗状に形成している。
【００２３】
この手段によると、例えば、各開口を利用して予備の圃場供給物が入った袋を下方から切り裂いた場合には、その袋に入った予備の圃場供給物を各開口に位置する切り口に向けて流下案内することができる。これにより、各載置面の開口を利用した供給装置の貯留部に対する補給作業を容易にすることができる。
【００２４】
本発明をより好適なものにするための手段の一つとして、
前記走行車体は、その後部に昇降揺動可能に連結したリンク機構を介して苗植付装置を装備し、
前記苗植付装置は、その上部に後下がり姿勢で備えた苗載台の前端が、前記第２状態に切り替えた前記左右の予備貯留部の後方に位置するように構成している。
【００２５】
この手段によると、左右の予備貯留部に予備の圃場供給物として予備苗を載置した場合には、左右の予備貯留部を第２状態に切り替えることにより、左右の予備貯留部とともに予備苗を苗植付装置の苗載台に近づけることができる。これにより、左右の予備貯留部に載置した予備苗を苗植付装置の苗載台に補給する補給作業を容易に行うことができる。
【００２６】
本発明をより好適なものにするための手段の一つとして、
前記支持機構は、前記第１状態では前記左右の予備貯留部が前記貯留部の上方から外れて前記貯留部の上方を開放するように構成している。
【００２７】
この手段によると、例えば、上部に点検口などを備えた貯留部の内部に対する清掃などのメンテナンスを行う場合には、左右の予備貯留部を第１状態に切り替えることにより、貯留部の上方を開放することができる。これにより、供給装置の貯留部に対する内部清掃などのメンテナンスを容易に行うことができる。
【００２８】
本発明をより好適なものにするための手段の一つとして、
前記走行車体は、その後部に昇降揺動可能に連結したリンク機構を介して苗植付装置を装備し、
前記苗植付装置は、その上部に後下がり姿勢で備えた苗載台の前端が、前記第２状態に切り替えた前記左右の予備貯留部の後方に位置するように構成し、
前記左右の予備貯留部は、前記苗載台に補給する複数の予備苗を予備の圃場供給物として載置する載置式の上側貯留部位と、前記貯留部に補給する予備の圃場供給物を内部に貯留する内蔵式の下側貯留部位とを備える上下二層式に構成し、
前記下側貯留部位のそれぞれは、前記第２状態において前記貯留部の上端部に備えた補給口に対向する排出口と、前記排出口を開閉する開閉部材とを備えている。
【００２９】
この手段によると、左右の上側貯留部位に載置した予備苗を苗植付装置の苗載台に補給する場合には、左右の予備貯留部を第２状態に切り替えることにより、左右の予備貯留部とともに予備苗を苗植付装置の苗載台に近づけることができる。これにより、苗植付装置の苗載台に予備苗を補給する補給作業を容易にすることができる。
【００３０】
一方、左右の下側貯留部位に貯留した予備の肥料又は薬剤などの圃場供給物を供給装置の貯留部に補給する場合には、左右の予備貯留部を第２状態に切り替えて各下側貯留部位の排出口を貯留部の補給口に対向させた後、各開閉部材を開き操作することにより、左右の下側貯留部位に貯留した予備の圃場供給物を各排出口から貯留部の内部に補給することができる。これにより、供給装置の貯留部に予備の圃場供給物を補給する補給作業を容易にすることができる。
【００３１】
本発明をより好適なものにするための手段の一つとして、
前記下側貯留部位は、上端部に補給口を有する予備ホッパと、前記予備ホッパの前記補給口を開閉する予備ホッパ用の蓋体とを備え、
前記上側貯留部位は、前記予備ホッパ用の蓋体の上面に形成している。
【００３２】
この手段によると、左右の下側貯留部位に対する予備の圃場供給物の補給は、各予備ホッパ用の蓋体を開き操作して予備ホッパの補給口を開放することにより、左右の下側貯留部位に予備の圃場供給物を補給することができる。これにより、左右の下側貯留部位に予備の圃場供給物を補給する補給作業を容易にすることができる。
【００３３】
又、各予備ホッパ用の蓋体を上側貯留部位として機能させることができる。これにより、各予備ホッパ用の蓋体とは別構造の専用の上側貯留部位を設ける場合に比較して、貯留構造の簡素化を図ることができる。
【００３４】
本発明をより好適なものにするための手段の一つとして、
前記苗載台は、前記苗植付装置を上限位置まで上昇させた場合に、前記苗載台の前端が前記第２状態に切り替えた前記左右の予備貯留部の後端に近接するように前記苗植付装置に装備している。
【００３５】
この手段によると、左右の予備貯留部に載置した予備苗を苗植付装置の苗載台に補給する場合には、左右の予備貯留部を第２状態に切り替え、かつ、苗植付装置を上限位置まで上昇させることにより、左右の予備貯留部と苗植付装置の苗載台とを更に接近させることができる。これにより、苗植付装置の苗載台に予備苗を補給する補給作業を容易にすることができる。
【００３６】
本発明をより好適なものにするための手段の一つとして、
前記苗載台は、マット状苗を載置する複数の苗載置部を左右方向に一定間隔で整列形成し、
前記左右の予備貯留部は、前記第２状態では予備の圃場供給物としての複数のマット状苗を前記苗載置部での載置姿勢と同じ向きで載置する載置面を備えている。
【００３７】
この手段によると、各予備貯留部の載置面に載置したマット状苗を苗植付装置の苗載台に補給する場合には、左右の予備貯留部を第２状態に切り替えることにより、左右の予備貯留部とともに各マット状苗を苗植付装置の苗載台に近づけることができるだけでなく、各予備貯留部の載置面に載置したマット状苗の向きを、苗植付装置の苗載置部での載置姿勢と同じ向きに変更することができる。
【００３８】
これにより、各マット状苗を各予備貯留部の載置面から苗植付装置の苗載台に移載する際に、マット状苗の向きを変更するなどの手間を不要にすることができ、その分、苗植付装置の苗載台にマット状苗を補給する補給作業を容易にすることができる。
【００３９】
本発明をより好適なものにするための手段の一つとして、
前記支持機構は、前記左右の予備貯留部を、前記載置面が水平又は略水平になるマット状苗載置用の載置姿勢と、前記第２状態において前記載置面が前記載置姿勢よりも大きい角度で後下がり傾斜するマット状苗補給用の補給姿勢とに、姿勢切り替え可能に支持している。
【００４０】
この手段によると、各予備貯留部の載置面に載置したマット状苗を苗植付装置の苗載台に補給しない場合には、左右の予備貯留部をマット状苗載置用の載置姿勢に切り替えることにより、それらのマット状苗が左右の予備貯留部から不測に脱落することを防止することができる。
【００４１】
又、各予備貯留部の載置面に載置したマット状苗を苗植付装置の苗載台に補給する場合には、先ず、左右の予備貯留部を第２状態に切り替えることにより、左右の予備貯留部とともに各マット状苗を苗植付装置の苗載台に近づけることができ、かつ、それらのマット状苗の向きを苗植付装置の苗載置部での載置姿勢と同じ向きに変更することができる。その後、左右の予備貯留部をマット状苗載置用の載置姿勢に切り替えることにより、各マット状苗の姿勢を苗植付装置の苗載置部での載置姿勢に近づけることができる。
【００４２】
これにより、各マット状苗を各予備貯留部の載置面から苗植付装置の苗載台に移載する際に、マット状苗の向き及び姿勢を変更するなどの手間を不要にすることができ、その分、苗植付装置の苗載台にマット状苗を補給する補給作業を容易にすることができる。
【００４３】
本発明をより好適なものにするための手段の一つとして、
前記左右の予備貯留部は、それらの前記第２状態での後端部に、その後端部の外側への予備のマット状苗の移動を阻止するストッパを装備している。
【００４４】
この手段によると、左右の予備貯留部をマット状苗載置用の載置姿勢に切り替えた場合などにおいて、各マット状苗が各予備貯留部の下端部（第２状態での後端部）から不測に脱落する虞を回避することができる。
【００４５】
本発明をより好適なものにするための手段の一つとして、
前記ストッパは、前記後端部の外側への予備のマット状苗の移動を阻止する阻止状態と移動を許容する許容状態とに切り替え可能に構成している。
【００４６】
この手段によると、ストッパを阻止状態に切り替えることにより、左右の予備貯留部をマット状苗載置用の載置姿勢に切り替えた場合などにおいて、各マット状苗が各予備貯留部の下端部（第２状態での後端部）から不測に脱落する虞を回避することができる。
【００４７】
又、左右の予備貯留部をマット状苗載置用の載置姿勢に切り替えた場合に、ストッパを許容状態に切り替えることにより、各予備貯留部の下端部（第２状態での後端部）からの各マット状苗の取り出しが行い易くなり、その分、苗植付装置の苗載台にマット状苗を補給する補給作業を容易にすることができる。
【００４８】
本発明をより好適なものにするための手段の一つとして、
前記左右の予備貯留部は、前記第２状態では予備の圃場供給物を後下がり傾斜又は後上がり傾斜で載置保持するように構成している。
【００４９】
この手段によると、左右の予備貯留部を第２状態に切り替えた場合での予備の圃場供給物の前後長さを短くすることができ、これにより、各予備貯留部の第２状態での前後長さを短くすることができる。
【００５０】
その結果、左右の予備貯留部を第２状態に切り替えた場合に、後部ステップの上方空間において左右の予備貯留部が占める領域の前後長さを短くすることができ、その分、後部ステップ上の前側領域において確保する必要のある補給作業用の作業空間を拡張し易くなる。そして、この作業空間の拡張によって補給作業を行い易くすることができる。
【００５１】
本発明をより好適なものにするための手段の一つとして、
前記ロック機構は、前記固定状態として、前記左右の予備貯留部を前記第１状態にて固定する第１固定状態と前記第２状態にて固定する第２固定状態とを有し、又、前記固定解除状態として、前記左右の予備貯留部の前記第１状態での固定を解除する第１解除状態と前記第２状態での固定を解除する第２解除状態とを有している。
【００５２】
この手段によると、ロック機構によって左右の予備貯留部を第１状態だけでなく、第２状態においても固定することができる。これにより、走行中の振動などに起因して、左右の予備貯留部が第２状態から変位して補給作業が行い難くなる虞を回避することができる。
【００５３】
本発明をより好適なものにするための手段の一つとして、
前記走行車体は、左右の手摺を前記後部ステップの左右両端側に分散して立設装備し、
前記手摺のそれぞれは、前記手摺から横外方に延出する載置台を備えている。
【００５４】
この手段によると、予備苗あるいは袋入りの肥料又は薬剤などの予備の圃場供給物を、左右の予備貯留部だけでなく、各載置台にも貯留することができる。これにより、作業走行を中断して畦際への移動走行を行って予備の圃場供給物を補充することに起因した作業効率の低下を抑制することができる。
【００５５】
本発明をより好適なものにするための手段の一つとして、
前記載置台のそれぞれは、前記手摺から横外方に延出する載置姿勢と、前記手摺に沿う上下向きの格納姿勢とに姿勢切り替え可能に構成している。
【００５６】
この手段によると、予備の圃場供給物を貯留していない載置台を格納姿勢に切り替えることにより、載置台の横方向への張り出し量を小さくすることができる。これにより、載置台が不必要に横方向に大きく張り出していることに起因した、載置台の他物との接触、あるいは、載置台による搭乗空間の制限、などを回避することができる。
【図面の簡単な説明】
【００５７】
【図１】施肥装置付き乗用田植機の左側面図である。
【図２】施肥装置付き乗用田植機の要部の平面図である。
【図３】施肥装置付き乗用田植機の要部の縦断正面図である。
【図４】施肥装置付き乗用田植機の要部の縦断左側面図である。
【図５】左右の予備貯留部を上下二層式に構成した別実施形態を示す施肥装置付き乗用田植機の要部の縦断正面図である。
【図６】左右の予備貯留部を上下二層式に構成した別実施形態を示す施肥装置付き乗用田植機の要部の縦断左側面図である。
【図７】左右の予備貯留部を第２状態では予備の圃場供給物を後下がり傾斜で載置するように構成した別実施形態を示す施肥装置付き乗用田植機の要部の縦断左側面図である。
【図８】左右の手摺に予備の圃場供給物載置用の載置台を備えるように構成した別実施形態を示す施肥装置付き乗用田植機の左側面図である。
【図９】左右の手摺に予備の圃場供給物載置用の載置台を備えるように構成した別実施形態を示す施肥装置付き乗用田植機の要部の縦断正面図である。
【発明を実施するための形態】
【００５８】
以下、本発明を実施するための形態の一例として、本発明を乗用作業機の一例である施肥装置付き乗用田植機に適用した実施形態を図面に基づいて説明する。
【００５９】
図１及び図２に示すように、本実施形態で例示する施肥装置付き乗用田植機は、乗用型の４輪駆動形式に構成した走行車体１の後部に、単動型の油圧シリンダを採用した昇降シリンダ２の作動によって上下揺動する上下揺動式のリンク機構３を介して、苗植付装置４を主作業装置Ａとして昇降可能に連結して構成している。そして、走行車体１の後部と苗植付装置４とにわたるように構成したミッドマウント式の施肥装置５を供給装置Ｂとして備えている。
【００６０】
走行車体１は、その前部に防振搭載したエンジン６からの動力を、主変速装置として備えた静油圧式無段変速装置（図示せず）、及び、副変速装置として備えたギア式変速装置（図示せず）、などを介して、その前部に配備した左右の前輪７、及び、その後部に配備した左右の後輪８に伝達するように構成している。そして、その後部側に搭乗運転部９を備えている。
【００６１】
搭乗運転部９は、搭乗面を形成する搭乗ステップ１０、搭乗面積を左右に拡張する左右の拡張ステップ１１、前輪操舵用のステアリングホイール１２、及び、前後方向に位置調節可能な運転座席１３、などを備えている。
【００６２】
走行車体１における運転座席１３の後方箇所には、リンク機構３及び左右の後輪８などの上方において走行車体１の後部から苗植付装置４に向けて延出する後部ステップ１４を備えている。そして、後部ステップ１４に対する移動などの際に使用する左右の手摺１５を、後部ステップ１４の左右両端側に分散した状態で立設配備している。
【００６３】
苗植付装置４は、８条分のマット状苗を圃場供給物として載置する苗載台１６、苗載台１６を一定ストロークで左右方向に往復移動させる横送り機構（図示せず）、苗載台１６が左右のストローク端に達するごとに苗載台上の各マット状苗を苗載台１６の下端に向けて所定ピッチで縦送りするベルト式の縦送り機構１７、苗載台１６に載置した各マット状苗の下端から所定量ずつの苗を切り取って圃場の泥土部に植え付ける８基のロータリ式の植付機構１８、及び、作業走行時に苗植え付け予定箇所などの圃場泥面を整地する複数の整地フロート１９、などを植付フレーム２０に装備して最大８条の苗の植え付けを行う８条用に構成している。
【００６４】
苗載台１６は、最大８条分のマット状苗を載置することが可能となるように、８条分の苗載置部１６Ａを左右方向に一定間隔をあけた状態で整列形成している。８基の植付機構１８は、対応する苗載置部１６Ａに載置したマット状苗の下端から所定量ずつの苗を切り取って圃場の泥土部に植え付けるように、左右方向に一定間隔をあけた状態で整列配備している。
【００６５】
図１〜４に示すように、施肥装置５は、粒状の肥料を圃場供給物として内部に貯留する内蔵式の貯留部２１、貯留部２１から２条分の肥料を所定量ずつ間欠的に繰り出す４つの繰出部２２、各繰出部２２が繰り出した肥料を搬送する搬送風を起こすブロワ２３、対応する繰出部２２が繰り出した肥料を案内する８本の施肥ホース２４、及び、対応する施肥ホース２４が案内した肥料を圃場に供給する８つの作溝器２５、などを備えて最大８条の施肥を行う８条用に構成している。
【００６６】
貯留部２１は、上端部に補給口２６Ａを有するホッパ２６と、後側を支点にした上下揺動によってホッパ２６の補給口２６Ａを開閉する上下揺動式の蓋体２７とを備えている。ホッパ２６は、貯留した肥料を対応する繰出部２２に案内する４つの漏斗部分２６Ｂを、その下部において左右方向に連続して並べた状態で形成している。そして、それらの漏斗部分２６Ｂの下端部を対応する繰出部２２の上端部に接続している。
【００６７】
４つの繰出部２２は、走行車体１の後端部に立設した門型の支持フレーム２８に、左右方向に一定間隔をあけて整列配置した状態で固定して、それらの上端部に接続する貯留部２１とともに後部ステップ１４の後部上方に位置するように構成している。これにより、運転座席１３と貯留部２１及び各繰出部２２との間に、後部ステップ１４の前部側を踏面とした作業空間２９を確保している。又、各繰出部２２は、それらの下部に備えた左右の肥料取出口２２Ａに対応する施肥ホース２４を接続している。
【００６８】
８つの作溝器２５は、後方を開放する平面視Ｕ字状に形成して、対応する整地フロート１９の所定位置に配備している。そして、作業走行時には、整地後の圃場泥面における対応する苗植え付け予定箇所から横方向に所定距離をあけた施肥予定箇所を作溝して、その溝内に肥料を供給するように構成している。
【００６９】
図１〜４に示すように、走行車体１は、その後部における貯留部２１の上方箇所に、長手方向をロール状に巻いた予備のマット状苗又は袋入り肥料を予備の圃場供給物として載置貯留する載置式に構成した左右の予備貯留部３０、左右の予備貯留部３０を第１状態と第２状態とに切り替え可能に支持する支持機構３１、及び、左右の予備貯留部３０の固定状態と固定解除状態との切り替えを可能にするロック機構３２を備えている。
【００７０】
左右の予備貯留部３０は、板金製で、予備のマット状苗又は袋入り肥料の載置用として予備貯留部３０の全域にわたる水平で矩形状の載置面３０Ａと、載置面３０Ａからの予備のマット状苗又は袋入り肥料の脱落を防止する周壁３０Ｂとを備えるように形成している。各載置面３０Ａは、その短辺の長さが予備のマット状苗の短辺の長さに相当するように形成している。
【００７１】
支持機構３１は、前述した左右の手摺１５、各手摺１５の上部後端箇所に縦向きに備えた左右の支軸３３、及び、左右の予備貯留部３０における対応する支軸３３との対向箇所に縦向きに備えた左右のボス部材３４、などにより構成している。そして、左右の支軸３３に左右のボス部材３４を外嵌することにより、左右の予備貯留部３０を、対応する支軸３３を支点にした左右方向への揺動変位によって前述した第１状態と第２状態とに切り替わるように支持している。そして、第１状態では、左右の予備貯留部３０が走行車体１の前後方向に沿う縦長姿勢で運転座席１３の左右の横外側に分散して位置する状態となり、これにより、左右の予備貯留部３０が貯留部２１の上方から外れて貯留部２１の上方を開放するように構成している。又、第２状態では、左右の予備貯留部３０が走行車体１の前後方向に直交する横長姿勢で連接して貯留部２１の上方に位置する状態、言い換えると、平面視で貯留部２１の全体を覆う状態になるように構成している。そして、第２状態の左右の予備貯留部３０と貯留部２１との間に蓋体２７の上下揺動を許容する空間３５を確保する高さ位置にて左右の予備貯留部３０を支持するように構成している。
【００７２】
ロック機構３２は、左右の支軸３３に左右向きに形成した貫通孔３３Ａ、予備貯留部３０の第１状態において支軸３３の貫通孔３３Ａと対向するように左右のボス部材３４に形成した一対の第１貫通孔３４Ａ、予備貯留部３０の第２状態において支軸３３の貫通孔３３Ａと対向するように左右のボス部材３４に形成した一対の第２貫通孔３４Ｂ、及び、それらの貫通孔３３Ａ，３４Ａ，３４Ｂに抜き差し可能に挿通する固定ピン３６、などにより構成している。そして、これにより、前述した固定状態として、左右の予備貯留部３０を第１状態にて固定する第１固定状態と第２状態にて固定する第２固定状態とを有するように構成している。又、前述した固定解除状態として、左右の予備貯留部３０の第１状態での固定を解除する第１解除状態と第２状態での固定を解除する第２解除状態とを有するように構成している。
【００７３】
左右の予備貯留部３０において、それらの載置面３０Ａは、第２状態において貯留部２１の補給口２６Ａに対向するとともに、貯留部２１の対応する漏斗部分２６Ｂに対向する２つずつの開口３０Ｃを備えている。
【００７４】
苗植付装置４は、その上部に後下がり姿勢で備えた苗載台１６の前端が、第２状態に切り替えた左右の予備貯留部３０の後方に位置するように構成している。苗載台１６は、苗植付装置４を上限位置まで上昇させた場合に、苗載台１６の前端が第２状態に切り替えた左右の予備貯留部３０の後端に近接するように苗植付装置４に装備している。
【００７５】
以上の構成から、作業走行時には、予備のマット状苗又は袋入り肥料を載置した左右の予備貯留部３０を第１状態にて固定することにより、後部に苗植付装置４及び施肥装置５を装備することによって走行車体１に対して後寄りになっている乗用田植機全体としての機体重心を走行車体１に対して前寄りに変更することができる。これにより、作業走行時などにおける機体の安定性を向上させることができる。
【００７６】
又、走行車体１の左右両側部に備えた補助ステップ３７を使用して、機体横方向での搭乗運転部９に対する乗降を行う場合には、左右の予備貯留部３０を第２状態にて固定することにより、各予備貯留部３０の遊端部を左右の補助ステップ３７などから離間させることができ、搭乗運転部９に対する機体横方向での乗降経路を容易に確保することができる。これにより、機体横方向での搭乗運転部９に対する乗降を、左右の予備貯留部３０によって阻害されることなく良好に行うことができる。
【００７７】
そして、左右の予備貯留部３０に載置した予備のマット状苗を苗植付装置４の苗載台１６に補給する場合には、左右の予備貯留部３０を第２状態にて固定し、かつ、苗植付装置４を上限位置まで上昇させることにより、第２状態に切り替えた左右の予備貯留部３０の後端に苗載台１６の前端を近接させることができる。これにより、苗植付装置４の苗載台１６に予備のマット状苗を補給する苗補給作業を容易かつ速やかに行うことができ、苗補給作業に要する労力の軽減、及び、苗補給作業に要する時間の短縮による作業効率の向上、などを図ることができる。
【００７８】
一方、左右の予備貯留部３０に載置した袋入り肥料を肥料袋から取り出して施肥装置５の貯留部２１に補給する場合には、左右の予備貯留部３０を第２状態にて固定し、かつ、貯留部２１の蓋体２７を開き操作してホッパ２６の補給口２６Ａを開放した後、左右の予備貯留部３０における各載置面３０Ａの各開口３０Ｃを利用して、左右の予備貯留部３０に載置した袋入り肥料の肥料袋を下方から切り裂くことにより、その切り口から漏れ出す肥料袋内の肥料を、各開口３０Ｃからホッパ２６の内部に容易かつ速やかに補給することができる。これにより、施肥装置５の貯留部２１に肥料袋内の肥料を補給する肥料補給作業に要する労力の軽減、及び、肥料補給作業に要する時間の短縮による作業効率の向上、などを図ることができる。
【００７９】
又、袋入り肥料を左右の予備貯留部３０に載置した状態で予備のマット状苗を苗植付装置４の苗載台１６に補給する場合には、左右の予備貯留部３０に載置した袋入り肥料の高さが苗載台１６への苗補給に邪魔にならない高さであれば、左右の予備貯留部３０を第２状態にて固定し、かつ、苗植付装置４を上限位置まで上昇させることにより、左右の予備貯留部３０に載置した袋入り肥料を載置台に利用した状態で、苗植付装置４の苗載台１６に予備のマット状苗を容易かつ速やかに補給することができる。又、左右の予備貯留部３０に載置した袋入り肥料の高さが苗載台１６への苗補給に邪魔になる高さであれば、左右の予備貯留部３０を第１状態にて固定し、かつ、苗植付装置４を上限位置まで上昇させることにより、苗植付装置４の苗載台１６に対する苗補給を、左右の予備貯留部３０に載置した袋入り肥料によって邪魔されることなく、容易かつ速やかに行うことができる。
【００８０】
更に、貯留部２１の内部に対する清掃などのメンテナンスを行う場合には、左右の予備貯留部３０を第１状態にて固定することにより、貯留部２１の上方を開放することができ、貯留部２１の上部に備えた補給口２６Ａを点検口として利用することができる。これにより、貯留部２１の内部に対するメンテナンスを容易に行うことができる。
【００８１】
〔別実施形態〕
【００８２】
〔１〕乗用作業機は、供給装置Ｂとして施肥装置５のみを備えた乗用施肥機、供給装置Ｂとして施薬装置のみを備えた乗用施薬機、又は、供給装置Ｂとして直播装置のみを備えた乗用直播機、などであってもよい。
又、走行車体１の後部にリンク機構３を介して主作業装置Ａとしての苗植付装置４を装備した上で供給装置Ｂとして施薬装置を備えた施薬装置付き乗用田植機、走行車体１の後部にリンク機構３を介して主作業装置Ａとしての苗植付装置４とともに施肥装置と施薬装置とを装備した施肥施薬装置付き乗用田植機、走行車体１の後部にリンク機構３を介して主作業装置Ａとしての苗植付装置４とともに施肥装置を装備した上で供給装置Ｂとして施薬装置を備えた施薬装置付き乗用田植機、又は、走行車体１の後部にリンク機構３を介して主作業装置Ａとしての苗植付装置４を装備した上で供給装置Ｂとして直播装置を備えた乗用田植直播兼用機、などであってもよい。
更に、走行車体１の後部にリンク機構３を介して主作業装置Ａとしての直播装置を装備した上で供給装置Ｂとして施肥装置５を備えた施肥装置付き乗用直播機、走行車体１の後部にリンク機構３を介して主作業装置Ａとしての直播装置を装備した上で供給装置Ｂとして施薬装置を備えた施薬装置付き乗用直播機、走行車体１の後部にリンク機構３を介して主作業装置Ａとしての直播装置とともに施肥装置５を装備した上で供給装置Ｂとして施薬装置を備えた施肥施薬装置付き乗用直播機、又は、走行車体１の後部にリンク機構３を介して主作業装置Ａとしての直播装置とともに施薬装置を装備した上で供給装置Ｂとして施肥装置５を備えた施肥施薬装置付き乗用直播機、などであってもよい。
【００８３】
〔２〕乗用作業機は、主作業装置Ａや供給装置Ｂなどにより、８条以外の例えば６条又は１０条などの複数条の供給作業を行うように構成したものであってもよい。
【００８４】
〔３〕供給装置Ｂは、貯留部２１に粉状又は液状の肥料あるいは粉粒状又は液状の薬剤などを貯留するように構成したものであってもよい。又、複数の貯留部２１を備えるように構成したものであってもよい。更に、貯留部２１が、上端部に補給口２６Ａを有するホッパ２６と、このホッパ２６に対する着脱又はスライド操作などによって補給口２６Ａを開閉する蓋体２７とを備えるように構成したものであってもよい。
【００８５】
〔４〕左右の予備貯留部３０は、それらの載置面３０Ａに、前述した第２状態において貯留部２１の補給口２６Ａに対向する１つ又は３つ以上の開口３０Ｃを備えるように構成したものであってもよい。又、第２状態においては、それらの開口３０Ｃが、貯留部２１において左右に連なる漏斗部分２６Ｂの境界部位に対向するように構成したものであってもよい。
【００８６】
〔５〕左右の予備貯留部３０は、それらの載置面３０Ａを、それらに載置した予備の肥料又は薬剤などの圃場供給物を対応する開口３０Ｃに案内する漏斗状に形成したものであってもよい。
【００８７】
〔６〕左右の予備貯留部３０は、予備のマット状苗あるいは袋入り肥料又は袋入り薬剤などの予備の圃場供給物を載置することが可能な格子状又は梯子状に形成したものであってもよい。
【００８８】
〔７〕左右の予備貯留部３０は、前述した第１状態においては、それらが縦長姿勢で左右の拡張ステップ１１の上方に位置するように構成したものであってもよい。
【００８９】
〔８〕左右の予備貯留部３０は、前述した第２状態においては、それらが横長姿勢で左右の手摺１５の間に収まるように構成したものであってもよい。
【００９０】
〔９〕左右の予備貯留部３０は、前述した第２状態においては、それらが横長姿勢で連接せずに隙間を有する状態で左右に並ぶように構成したものであってもよい。
【００９１】
〔１０〕図５及び図６に示すように、左右の予備貯留部３０は、苗植付装置４の苗載台１６に補給する複数の予備苗（マット状苗）を予備の圃場供給物として載置する載置式の上側貯留部位４０と、供給装置Ｂの貯留部２１に補給する予備の肥料又は薬剤などの圃場供給物を内部に貯留する内蔵式の下側貯留部位４１とを備える上下二層式に構成したものであってもよい。
そして、この構成においては、同図に示すように、左右の下側貯留部位４１は、上端部に補給口４２Ａを有する予備ホッパ４２と、後側を支点にした上下揺動によって予備ホッパ４２の補給口４２Ａを開閉する上下揺動式の蓋体４３とを備えている。又、左右の予備ホッパ４２は、それらの下端部に、前述した第２状態において供給装置Ｂにおけるホッパ２６の上端部に備えた補給口２６Ａに対向する排出口４２Ｂと、この排出口４２Ｂを開閉する開閉部材４４としてのシャッタ４４とを備えている。一方、左右の上側貯留部位４０は、対応する予備ホッパ用の蓋体４３の上面に一体形成している。
これらの構成から、左右の上側貯留部位４０に載置した予備のマット状苗を苗植付装置４の苗載台１６に補給する場合には、左右の予備貯留部３０を第２状態にて固定し、かつ、苗植付装置４を上限位置まで上昇させることにより、第２状態に切り替えた左右の予備貯留部３０の後端に苗載台１６の前端を近接させることができる。これにより、苗植付装置４の苗載台１６に予備のマット状苗を補給する苗補給作業を容易かつ速やかに行うことができ、苗補給作業に要する労力の軽減、及び、苗補給作業に要する時間の短縮による作業効率の向上、などを図ることができる。
一方、左右の下側貯留部位４１に貯留した予備の肥料又は薬剤などの圃場供給物を供給装置Ｂの貯留部２１に補給する場合には、左右の予備貯留部３０を第２状態にて固定し、かつ、貯留部２１の蓋体２７を開き操作してホッパ２６の補給口２６Ａを開放した後、各シャッタ４４を開き操作することにより、左右の下側貯留部位４１に貯留した予備の肥料又は薬剤などの圃場供給物を、各排出口４２Ｂからホッパ２６の内部に容易かつ速やかに補給することができる。これにより、供給装置Ｂの貯留部２１に対する肥料補給作業に要する労力の軽減、及び、肥料補給作業に要する時間の短縮による作業効率の向上、などを図ることができる。
そして、左右の下側貯留部位４１に対する予備の肥料又は薬剤などの圃場供給物の補給は、左右の予備貯留部３０を第２状態にて固定し、かつ、各蓋体４３を開き操作して予備ホッパ４２の補給口４２Ａを開放することにより、予備ホッパ４２の補給口４２Ａから予備ホッパ内への予備の圃場供給物の補給を容易かつ速やかに行うことができる。
尚、この構成においては、図示は省略するが、左右の予備貯留部３０は、それらの下側貯留部位４１が、上端部に補給口４２Ａを有する予備ホッパ４２と、この予備ホッパ４２に対する着脱又はスライド操作などによって補給口４２Ａを開閉する蓋体４３とを備えるように構成してもよい。又、開閉部材４４として、予備ホッパ４２の排出口４２Ｂに対して着脱可能なキャップなどを備えるように構成してもよい。更に、予備ホッパ４２の排出口４２Ｂから下方の貯留部２１にわたって予備の圃場供給物を流下案内する補給ホースを備えるように構成してもよい。
【００９２】
〔１１〕図７に示すように、左右の予備貯留部３０は、前述した第２状態においては、予備のマット状苗あるいは袋入り肥料又は袋入り薬剤などの予備の圃場供給物を後下がり傾斜（又は後上がり傾斜）で載置するように構成してもよい。又、同図に示すように、左右の予備貯留部３０における第２状態での後端部に、その後端部の外側への予備の圃場供給物の移動を阻止するストッパ４５を装備するように構成してもよい。
尚、この構成においては、同図に示すように、各予備貯留部３０の載置面３０Ａが第２状態において後下がり傾斜（又は後上がり傾斜）するように構成してもよい。又、各予備貯留部３０が、第２状態での予備の圃場供給物の前後一端側を高い位置で支持する第１支持部材と前後他端側を低い位置で支持する第２支持部材とを備えるように構成してもよい。
【００９３】
〔１２〕左右の予備貯留部３０は、前述した第２状態において、予備の圃場供給物としての複数のマット状苗を、苗植付装置４に備えた苗載台１６の各苗載置部１６Ａでの載置姿勢と同じ向きで載置する載置面を備えるように構成したものであってもよい。
【００９４】
〔１３〕支持機構３１は、左右の手摺１５とは別構造の予備貯留部専用の支持フレームを備えるように構成したものであってもよい。
【００９５】
〔１４〕支持機構３１は、左右の支軸３３を支点にして左右方向に揺動変位する左右の予備貯留部３０の遊端側を第１状態にて支持する第１支持部材と第２状態にて支持する第２支持部材とのいずれか一方又は双方を備えるように構成したものであってもよい。
【００９６】
〔１５〕支持機構３１は、左右の予備貯留部３０を第１状態にて支持する第１支持部材と第２状態にて支持する第２支持部材とを備えて、左右の予備貯留部３０を、第１支持部材による支持状態と第２支持部材による支持状態との付け替えによって第１状態と第２状態とに切り替え可能に支持するように構成したものであってもよい。
【００９７】
〔１６〕支持機構３１は、左右の予備貯留部３０を第１状態と第２状態とにわたってスライド移動可能に案内支持する案内部材などを備えて、左右の予備貯留部３０を、案内部材に沿ったスライド移動による第１状態と第２状態との切り替えが可能な状態に支持するように構成したものであってもよい。
【００９８】
〔１７〕支持機構３１は、左右の予備貯留部３０を、それら載置面３０Ａが水平又は略水平になるマット状苗載置用の載置姿勢と、前述した第２状態において各載置面３０Ａが載置姿勢よりも大きい角度で後下がり傾斜する苗植付装置４に対するマット状苗補給用の補給姿勢とに、姿勢切り替え可能に支持するように構成したものであってもよい。
この構成においては、左右の予備貯留部３０が、それらの第２状態での後端部を支点にした上下揺動によって姿勢が切り替わるように構成することが好ましい。
又、この構成においては、左右の予備貯留部３０における第２状態での後端部に、その後端部の外側への予備のマット状苗の移動を阻止するストッパを装備するように構成してもよい。更に、そのストッパを、予備のマット状苗の移動を阻止する阻止状態と移動を許容する許容状態とに切り替え可能に構成してもよい。
【００９９】
〔１８〕支持機構３１は、第２状態の左右の予備貯留部３０と貯留部２１との間に前述した空間３５を確保しない低い位置で左右の予備貯留部３０を支持するように構成したものであってもよい。
【０１００】
〔１９〕ロック機構３２は、左右の支軸３３に横向きに突設した固定ピン、各予備貯留部３０の第１状態において固定ピンに係合するように左右のボス部材３４の下縁に形成した第１凹部、及び、各予備貯留部３０の第２状態において固定ピンに係合するように左右のボス部材３４の下縁に形成した第２凹部、などによって構成したものであってもよい。
【０１０１】
〔２０〕ロック機構３２は、例えば、左右の支軸３３に左右向きに形成した貫通孔、各予備貯留部３０の第１状態において支軸３３の貫通孔３３Ａと対向するように左右のボス部材３４に形成した一対の貫通孔、及び、それらの貫通孔３３Ａ，３４Ａに抜き差し可能に挿通する固定ピン、などにより、左右の予備貯留部３０を第１状態にて固定する固定状態と、第１状態での固定を解除する固定解除状態とを有するように構成したものであってもよい。
【０１０２】
〔２１〕ロック機構３２は、左右の予備貯留部３０の前述した第２状態での固定を、左右の予備貯留部３０を連結することによって行うように構成したものであってもよい。
【０１０３】
〔２２〕ロック機構３２は、デテント機構などによって左右の予備貯留部３０の固定状態と固定解除状態との切り替えを可能にするように構成したものであってもよい。
【０１０４】
〔２３〕図８及び図９に示すように、左右の手摺１５は、手摺１５から横外方として走行車体１の横外方に延出する予備の圃場供給物載置用の載置台４６を備えるように構成したものであってもよい。
この構成においては、同図に示すように、各載置台４７を、それらの上下揺動によって、手摺１５から走行車体１の横外方に延出する載置姿勢と、手摺１５に沿う上向きの格納姿勢とに姿勢切り替え可能に構成してもよい。
又、図示は省略するが、各載置台４７を、それらの手摺１５に対する着脱によって、手摺１５から横外方に延出する載置姿勢と、手摺１５に沿う上下向きの格納姿勢とに姿勢切り替え可能に構成してもよい。
尚、図８及び図９においては、左右の手摺１５に２つずつの載置台４６を装備する構成を例示したが、左右の手摺１５に対する載置台４６の装備数量は種々の変更が可能である。例えば、左右の各手摺１５に１つ又は３つ以上の載置台４６を備えるように構成してもよい。
【０１０５】
〔２４〕左右の手摺１５は、手摺１５から横外方として走行車体１の内方に延出する単一又は複数の載置台４６を備えるように構成したものであってもよい。又は、手摺１５から横外方として走行車体１の横外方に延出する単一又は複数の載置台４６と、手摺１５から横外方として走行車体１の内方に延出する単一又は複数の載置台４６とを備えるように構成したものであってもよい。
【０１０６】
〔２５〕左右の手摺１５に備える載置台４６は、複数の予備の圃場供給物を前後方向に並べた状態で載置することが可能な長さを有するように構成したものであってもよい。又、載置面を備える平板状に形成したもの、又は、前後向きの姿勢で左右に並ぶ複数本のレール状部材を有するように構成したものであってもよい。
【産業上の利用可能性】
【０１０７】
本発明は、走行車体における後部ステップの上方に圃場供給物を内部に貯留する貯留部を配備した乗用直播機又は乗用田植機などの乗用作業機に適用することができる。
【符号の説明】
【０１０８】
１      走行車体
３      リンク機構
４      苗植付装置
１３    運転座席
１４    後部ステップ
１５    手摺
１６    苗載台
１６Ａ  苗載置部
２１    貯留部
２６    ホッパ
２６Ａ  補給口
２７    蓋体
３０    予備貯留部
３０Ａ  載置面
３０Ｃ  開口
３１    支持機構
３２    ロック機構
３３    支軸
３５    空間
４０    上側貯留部位
４１    下側貯留部位
４２    予備ホッパ
４２Ａ  補給口
４２Ｂ  排出口
４３    予備ホッパ用の蓋体
４４    開閉部材
４６    載置台
Ｂ      供給装置
【図１】
2015112026.tif 000003
【図２】
2015112026.tif 000004
【図３】
2015112026.tif 000005
【図４】
2015112026.tif 000006
【図５】
2015112026.tif 000007
【図６】
2015112026.tif 000008
【図７】
2015112026.tif 000009
【図８】
2015112026.tif 000010
【図９】
2015112026.tif 000011